(57)【要約】      （修正有）【課題】比較的少額費用にて振り子作動により文字・絵などが移動表示され、宣伝効果が高まる看板構造を提供する。【解決手段】可動板２０は、前面にあって左右対称な７角形をしており、看板の取付け、あるいは看板自体としても利用可能な平板体であり、固定基盤１０は、可動板２０の背後にあってこうした可動板２０を支持及び可動させる箱体である。可動軸２１は、可動板２０の中央頂部に形成された軸受け孔に軸着されて、可動軸２１を中心に可動板２０を可動し、支持軸２９は、可動板２０の可動に従動しながら固定基盤１０と係合して可動板２０と固定基盤１０の連結状態を維持する。すなわち、支持軸２９の他端部が固定基盤１０に形成された支持軸従動用の溝穴１５に位置し、その他端部に溝穴１５の径よりも大径の係合部材として回転自在な斜皿形フランジ２７，２７を用いて溝穴１５を挟み込んでいる。【選択図】図１
0003115810.tif 000002
【実用新案登録請求の範囲】
【請求項１】
看板の取付け又は看板としての利用可能な可動板とその可動板を支持及び可動させる固定基盤とを備えた振り子式看板構造であって、
可動板と固定基盤を支持連結する複数の軸は、その１本が可動の軸となる可動軸であり、その他の軸が可動板の可動に従動しながら固定基盤と係合して可動板と固定基盤の連結状態を維持する支持軸であることを特徴とする振り子式看板構造。
【請求項２】
支持軸は、その一端部が可動板側に固定され、
その他端部が固定基盤に形成された支持軸従動用の溝穴にあって、その溝穴の径よりも大径の係合部材で溝穴を挟み込むことで固定基盤と係合することを特徴とする請求項１記載の振り子式看板構造。
【請求項３】
固定基盤は、回動する回動爪を備えて、その回動爪と接触するように可動板に設けられた回動受片を動かすことで可動板を可動させることを特徴とする請求項１又は２記載の振り子式看板構造。
【考案の詳細な説明】
【技術分野】
【０００１】
本考案は、看板の構造に関するものであり、詳しくは、宣伝効果を高めるために看板の振り子作動が可能でありながらも安全性・耐久性にも配慮された新規な看板の構造に関するものである。
【背景技術】
【０００２】
看板として一般的なものは、平板状の固定看板か、若しくは移動表示が可能なネオン看板・電光看板（ＬＥＤ）などである。
また、これまで看板に関する特許文献としては、以下に示す特許文献１〜４のようなものが開示されている。
【０００３】
【特許文献１】実開平０６−２１０８６号公報
【特許文献２】実開平０６−２８８７９号公報
【特許文献３】実用新案登録第３０９３４２２号公報
【特許文献４】実用新案登録第３０９４９５０号公報
【考案の開示】
【考案が解決しようとする課題】
【０００４】
看板は宣伝・広告のために出すものであり、人目につかなければ意味がない。現在のように街中に多数の看板がある中で、平板状の固定看板ではその効果が薄い。そうした中では移動表示が可能なネオン看板・電光看板は人目につきやすく、看板としての効果は高い。しかし、看板自体の費用も高く、電気代等の維持費もかかるため、いきおい高額なものとなってしまう。
【０００５】
そこで、本考案者は、鋭意研究・試作の末、比較的少額費用にて振り子作動により文字・絵などが移動表示され、宣伝効果が高まる本件看板構造を考案するに至った。
【課題を解決するための手段】
【０００６】
第１の考案は、看板の取付け又は看板としての利用可能な可動板とその可動板を支持及び可動させる固定基盤とを備えた振り子式看板構造であって、可動板と固定基盤を支持連結する複数の軸は、その１本が可動の軸となる可動軸であり、その他の軸が可動板の可動に従動しながら固定基盤と係合して可動板と固定基盤の連結状態を維持する支持軸であることを特徴とするものである。ここで、「可動板と固定基盤を支持連結する複数の軸」とは、可動板と固定基盤を支持連結するために設けられた２本以上の軸を意味する。
第２の考案は、支持軸は、その一端部が可動板側に固定され、その他端部が固定基盤に形成された支持軸従動用の溝穴にあって、その溝穴の径よりも大径の係合部材で溝穴を挟み込むことで固定基盤と係合することを特徴とするものである。
第３の考案は、固定基盤は、回動する回動爪を備えて、その回動爪と接触するように可動板に設けられた回動受片を動かすことで可動板を可動させることを特徴とするものである。
【考案の効果】
【０００７】
上記する本考案によれば、以下のような効果を有する。
（１）固定基盤と可動板を主要な構成要素とする比較的簡易な構造で、宣伝効果の高い振り子式看板を提供できる。
（２）可動板は、１本の可動軸とその他の支持軸とを備えることで、その可動軸を中心に左右へ振り子状に可動する。このため、可動板に看板を取付け、又は可動板を直接看板として利用することで、宣伝効果の高い振り子式看板を提供できる。なお、可動板に看板を取付ける場合には、看板の制作と本考案に係る看板構造の制作とを別々に進めることができるので、作業の効率化及び本考案に係る看板構造の量産化が可能となる。
（３）可動板の支持軸は、その一端部が可動板側に固定され、その他端部が固定基盤に形成された支持軸従動用の溝穴にあって、その溝穴の径よりも大径の係合部材で溝穴を挟み込む極めて簡易な構造で、可動板を可動自在に固定基盤へ確実に連結できる。
（４）固定基盤に回動する回動爪を備えて、その回動爪と接触するように可動板に設けられた回動受片を動かすことで、自動的に可動板を可動させることができる。また、回動爪の回動速度を調整することで、可動板の可動頻度を変更できる。
【考案を実施するための最良の形態】
【０００８】
本考案の実施形態を図面に基づいて説明する。
図１は、本考案に係る振り子式看板構造（以下「看板構造」）を正面から見た正面図、図２は、本考案に係る看板構造を側面から見た側面図である。
本考案に係る看板構造は、可動板２０と固定基盤１０とを備える。可動板２０は、前面にあって左右対称な７角形をしており、看板（図示省略）の取付け、あるいは看板自体としても利用可能な平板体である。なお、符号３５，３５…は、看板を取付けるための取付穴である。そして、固定基盤１０は、可動板２０の背後にあってこうした可動板２０を支持及び可動させる箱体である。
【０００９】
また、本考案に係る看板構造は、可動板２０と固定基盤１０を支持連結する４本の軸を備える。
その１本が可動の軸となる可動軸２１である。可動軸２１は、その一端部が固定基盤１０側に固定され、その他端部が可動板２０の中央頂部に形成された軸受け孔に軸着されて、この可動軸２１を中心に可動板２０を可動する。なお、可動軸２１は、その一端部が可動板２０の中央頂部に固定され、その他端部が固定基盤１０に形成された軸受け孔に軸着されて、この可動軸２１を中心に可動板２０を可動するようにしてもよい。
その他の３本の軸は、可動板２０の可動に従動しながら固定基盤１０と係合して可動板２０と固定基盤１０の連結状態を維持する支持軸２９である。
【００１０】
３本の支持軸２９は、可動板２０の右端寄りと左端寄りと中央下端寄りの計３箇所に設けられている。支持軸２９をこの３箇所とした理由は、左右からの風、下方からの風に対処できるようにしたものである（上方からの風には、可動軸２１がある）。但し、支持軸の数や位置はこれに限られるものではなく、設置場所の状況により支持軸の数・位置を適宜変更することは自由である。
【００１１】
各支持軸２９は、その一端部が可動板２０側に固定されている。また、その他端部が固定基盤１０に形成された支持軸従動用の溝穴１５に位置する。そして、その他端部に溝穴１５の径よりも大径の係合部材として回転自在な斜皿形フランジ２７，２７を用いて溝穴１５を挟み込んでいる。これにより、支持軸２９の他端部は溝穴１５から外れることなく固定基盤１０と無接触であり、斜皿形フランジ２７のみ時折溝穴１５と滑動自在に接触し、固定基盤１０と可動板２０は確実に係合される。なお、係合部材は、斜皿形フランジ２７に限るものではなく、溝穴１５の径よりも大径の部材であればよい。
【００１２】
このように可動板２０は、支持軸２９が支持軸従動用の溝穴１５に位置するためにその可動が邪魔されることはなく、一定の軌道の範囲内で振り子状にスムーズに可動でき、看板の宣伝効果を高める。それとともに、支持軸２９が固定基盤１０と確実に係合されているので、台風等の強風による可動板２０の脱落・破損等の被害を防止でき、屋外に設置されることの多い看板の安全性を向上させる。
【００１３】
さらに、本考案に係る看板構造は、可動板２０を自動的に可動させるために、固定基盤１０に回動する回動爪３２を備えている。この回動爪３２は、固定基盤１０内に設けられたサーボモータ３１により一定の速度で回動する。そして、その回動爪３２と接触するように可動板２０に設けられた回動受片３０を動かすことで、自動的に可動板２０を可動できるのである。すなわち、回動受片３０が回動してきた回動爪３２と接触し、回動爪３２の回動方向（図１において右側）に移動する。それに伴って、可動板２０も同方向に可動する。回動受片３０が回動爪３２との接触を終了すると、可動板２０は重力に従って反対（逆）方向に可動する。そして、反対（逆）方向に可動した可動板２０は余勢によって反対（逆）方向に大きく振れるので、重力に従いさらに元の方向に可動する。このような左右への可動を数回行い、余勢がなくなるまで可動板２０は振り子状に可動する。また、余勢が無くなり停止している可動板２０に対して、再度回動爪３２が回動してきて、上記と同じ動作を繰り返すことで、宣伝効果の高い振り子式看板を提供できる。この構造によれば、回動爪３２の回動速度を調整することで、可動板２０の可動頻度を変更できるため、看板の設置場所に応じた可動頻度を自由に設定できる。なお、図中符号３４は、サーボモータ３１用の電線コードであるが、電源は通常交流、又は電池，太陽光発電など電源として使用できるものはいずれも任意で選択可能である。
【００１４】
図３及び図４は、看板の取付け方法を示した説明図である。
実際に、本考案に係る看板構造を使用する時は、可動板２０に宣伝する文字や絵の記載された看板３６（図３は円形看板、図４は角形看板）を取り付ける。可動板２０に設けられた取付穴３５の位置に合わせて、看板３６にも取付穴３７を設けて、それら取付穴３５，３７に締結具（例  ボルトとナット：図示省略）を用いて可動板２０と看板３６とを締結することで、極めて簡単に可動板２０へ看板３６を取付けられる。ここで、例えば、看板の大きさを大・中・小の３種類に区別し、それぞれの種類で取付穴３５，３５間（取付穴３７，３７間）の距離を規定しておけば、可動板２０に対する看板３６の取付けが確実に行える。以上のように、看板と本考案に係る看板構造とを別々の制作工程とすることで、看板制作作業の効率化・本考案に係る看板構造の量産化を可能とする。
なお、図示省略するが、可動板２０に宣伝する文字や絵を直接に記載・貼付けをし、可動板２０を看板とすることも可能である。この場合、可動板２０の形状を変更させてもよい。
【００１５】
以上本実施形態の要旨は、振り子作動のための滑動性の追求と、台風等の強風時の安全性を目的として、斜皿形フランジ２７の活用を考案し、固定基盤１０と可動板２０を左右自在に可動するように接続させているのが最大の特徴である。
【産業上の利用可能性】
【００１６】
本考案に係る看板構造は、屋外・屋内を問わず宣伝効果を高める看板構造として広く使用できる。また、ここでいう看板には、一般的な商業的看板の他に、案内板や掲示板など何らかの情報を提供するために利用されるものも広く含まれる。
【図面の簡単な説明】
【００１７】
【図１】本考案に係る看板構造を正面から見た正面図。
【図２】本考案に係る看板構造を側面から見た側面図。
【図３】看板（円形看板）の取付け方法を示した説明図。
【図４】看板（角形看板）の取付け方法を示した説明図。
【符号の説明】
【００１８】
１０  固定基盤  １５  溝穴
２０  可動板    ２１  可動軸    ２７  斜皿形フランジ    ２９  支持軸
３０  回動受片  ３１  サーボモータ    ３２  回動爪      ３５  取付穴
３６  看板      ３７  取付穴
【図１】
0003115810.tif 000003
【図２】
0003115810.tif 000004
【図３】
0003115810.tif 000005
【図４】
0003115810.tif 000006